(57)【特許請求の範囲】
【請求項１】
商品窓を有しかつ少なくとも一側に折り片がつながっている枠体の内がわにおいて，フィルムの一端部を上記枠体と折り片の間の折り線と間隔をあけて上記折り片に接着し，かつフィルムの他端部を上記枠体の他側がわの枠部または上記枠体の他側がわにつながる折り片に接着することで，上記商品窓を覆うようにして上記フィルムを上記枠体の内がわ面と平行に貼り，
上記フィルムの端部が接着されている折り片を上記折り線の位置で内がわに折り，
上記折り片が折られた上記枠体の内がわに支持体を保持することによって，上記支持体と上記フィルムとの間に入れられる商品を挟んで固定し，折り片を上記折り線の位置で折ることで上記フィルムに生じる余裕または上記フィルムに生じる余裕と上記フィルム自体の伸びとによって，張りを持つフィルムにより覆った商品の少なくとも一部を上記商品窓を通して外方に突出させ，かつ上記折り片を折られた状態に維持する，
商品の包装方法。
【請求項２】
商品窓を有しかつ少なくとも一側に折り片がつながっている枠体，
上記商品窓を覆うようにして上記枠体の内がわ面と平行に貼られるフィルムであって，一端部が上記枠体と折り片との間の折り線と間隔をあけて上記折り片に接着され，かつ他端部が上記枠体の他側がわの枠部または上記枠体の他側がわにつながる折り片に接着されるフィルム，および
上記枠体の一側だけに折り片がつながっている場合にはその折り片が，上記枠体の一側がわおよび他側がわのそれぞれに折り片がつながっている場合にはそれらの両方の折り片が折られた上記枠体の内がわに保持される支持体を備えている，
包装体。
【請求項３】
上記枠体の両側のそれぞれに互いに反対方向に延びる折り片がつながっており，上記フィルムの一端部および他端部が上記２つの折り片のそれぞれに接着されており，上記フィルムの一端部が一方の折り片に上記間隔をあけて接着されている，または上記フィルムの一端部および他端部の両方が上記２つの折り片のそれぞれに上記間隔をあけて接着されている，
請求項２に記載の包装体。
【請求項４】
上記支持体が上記折り片であり，上記フィルムの一端部が上記支持体に上記間隔をあけて接着され，他端部が上記枠体の他側がわの枠部に接着されている，
請求項２に記載の包装体。
【請求項５】
上記支持体が上記折り片を兼ねており，上記枠体の一側に第１の折り線を介して上記支持体が，上記枠体の上記一側と反対がわの他側に第２の折り線を介して上記折り片が，それぞれ互いに反対方向につながっており，
上記フィルムの一端部が上記支持体に，他端部が上記折り片にそれぞれ接着されており，
上記フィルムの一端部が上記第１の折り線と上記間隔をあけて接着されている，または上記フィルムの一端部および他端部の両方が上記第１の折り線および第２の折り線のそれぞれと上記間隔をあけて接着されている，
請求項２に記載の包装体。
【請求項６】
上記フィルムの上端部および下端部が，上記枠体の上記商品窓の上がわの枠部および下がわの枠部にそれぞれ接着されている，請求項２から５のいずれか一項に記載の包装体。
【請求項７】
枠体，折り片および支持体が１枚の厚紙からつくられている，請求項２から５のいずれか一項に記載の包装体。
【発明の詳細な説明】
【技術分野】
【０００１】
この発明は商品を包装する方法および商品を包装するための包装体に関する。
【背景技術】
【０００２】
スーパーマーケット，薬局，コンビニエンスストア，その他の店舗で販売されるリップクリーム，化粧水，スプレー等の比較的小型の商品は台紙および透明プラスチックを用いて包装された形態で流通，販売されることが多い。包装された商品が店舗内において展示ないし陳列され，消費者の手に取られる。
【０００３】
商品の形状および大きさに応じた凹部を持つ透明プラスチック製のブリスター内に商品を入れ，台紙によってブリスターの背面がわの開口を閉じたブリスターパックが知られている。透明なブリスターを通して包装商品がよく見えるので展示効果は高いが，ブリスターを成形する金型の製作が必要であり製造コストは高い。
【０００４】
この問題点を解決するために，伸縮性を持つプラスチック材を用いて商品を包装するものが提案されている。
【先行技術文献】
【特許文献】
【０００５】
【特許文献１】特開２００２−２６８３号公報
【０００６】
この包装容器は，商品の表側を比較的剛性の高い平板状の透明のプラスチック材により覆い，商品の裏側を伸縮性を持つプラスチック材により覆っている。包装商品は包装容器の裏がわに突出する。このため商品の外形は包装容器を裏返して包装容器の裏がわから確認するしかない。また，裏がわに設けられる伸縮性プラスチック材は平面状に張られ，これが商品によって押されることで商品の裏面がわを覆っている。伸縮性プラスチックの伸びの限界を超える厚さを持つ商品を包装するのは困難である。
【発明の開示】
【０００７】
この発明は比較的厚い商品も包装できるようにすることを目的とする。
【０００８】
この発明はまた，包装商品の外形を表がわ（正面がわ）から把握することができるようにすることを目的とする。
【０００９】
この発明による商品の包装方法は，商品窓を有しかつ少なくとも一側に折り片がつながっている枠体の内がわにおいて，フィルムの一端部を上記枠体と折り片の間の折り線と間隔をあけて上記折り片に接着し，かつフィルムの他端部を上記枠体の他側がわの枠部または上記枠体の他側がわにつながる折り片に接着することで，上記商品窓を覆うようにして上記フィルムを上記枠体の内がわ面と平行に貼り，上記フィルムの端部が接着されている折り片を上記折り線の位置で内がわに折り，上記折り片が折られた上記枠体の内がわに支持体を保持することによって，上記支持体と上記フィルムとの間に入れられる商品を挟んで固定し，折り片を上記折り線の位置で折ることで上記フィルムに生じる余裕または上記フィルムに生じる余裕と上記フィルム自体の伸びとによって，張りを持つフィルムにより覆った商品の少なくとも一部を上記商品窓を通して外方に突出させ，かつ上記折り片を折られた状態に維持する。
【００１０】
この発明による包装体は，商品窓を有しかつ少なくとも一側に折り片がつながっている枠体，上記商品窓を覆うようにして上記枠体の内がわ面と平行に貼られるフィルムであって，一端部が上記枠体と折り片との間の折り線と間隔をあけて上記折り片に接着され，かつ他端部が上記枠体の他側がわの枠部または上記枠体の他側がわにつながる折り片に接着されるフィルム，および上記折り片が折られた上記枠体の内がわに保持される支持体を備え，上記フィルムと上記支持体との間に挟まれて固定される商品の少なくとも一部が，上記フィルムの端部が接着されている折り片を上記折り線の位置で内がわに折ることで上記フィルムに生じる余裕または上記フィルムに生じる余裕と上記フィルム自体の伸びとによって，張りを持つ上記フィルムによって覆われた状態で上記商品窓を通して外方に突出させられ，かつ上記折り片の折られた状態が上記支持体によって維持される。
【００１１】
枠体の内がわにおいてフィルムの端部が枠体と折り片との間の折り線と間隔をあけて上記折り片に接着されているので，折り片が折り線の位置で内がわに折られるとフィルムの端部（接着位置）が枠体の商品窓に近づき，フィルムに余裕が生じる。この上記フィルムに生じる余裕によって商品窓から突出する商品を覆うことができる。比較的厚みを有する商品であっても包装することができる。上記フィルムが伸びを生じるものであれば，上記フィルムに生じる余裕とフィルム自体に生じる伸びの両方によって商品窓から突出する商品を覆うことができる。
【００１２】
上記フィルムの端部の接着には典型的には接着剤が用いられるが，接着のための固定具（テープ，ステープラーなど）を用いてもよい。上記フィルムの端部が接着されるべき折り片上の箇所に熱可塑性樹脂等をあらかじめ設けておき，溶着（熱溶着，超音波溶着など）により上記フィルムの端部を接着してもよい。
【００１３】
商品は，折り片が折られた枠体の内がわに保持される支持体と，枠体の内がわ面に貼られるフィルムとによって挟まれることで固定される。支持体はまた，折り片を折られた状態に維持するためにも用いられる。枠体の内がわまたは折り片に支持体を接着する，差込み片等を用いて枠体に支持体を係合させる，筒状の支持体によって枠体を包囲する等によって，上記支持体は折り片が折られた枠体の内がわに保持される。支持体は折り片の外がわに保持しても，折り片の内がわに保持してもよい。
【００１４】
上記フィルムには，たとえばプラスチック材料が用いられる。上述のように，フィルムに生じる余裕またはフィルムに生じる余裕とフィルムの伸びとによって商品窓から突出する商品が覆われる。すなわち，フィルムは伸びを生じないものであってもよく，伸びを生じるものであってもよい。伸びを生じるフィルムを用いると，フィルムの端部と上記折り線との間の間隔の調整を行いやすいという利点がある。また，伸びを生じるフィルムは商品にフィット（密着）しやすいので，商品が安定して固定されやすく，かつ外観的にも良好なものとなる。もちろんフィルムは弾性を兼ね備えたもの（すなわち縮む性質を持つもの）であってもよく，この場合包装された商品はフィルムによって圧迫された状態で固定される。さらに上記フィルムには透明または半透明のものを用いるとよい。透明または半透明のフィルムを用いることによって商品に印刷された商品名等をフィルムを通して確認することできる。いずれにしてもフィルムによって覆われた商品の少なくとも一部が枠体の商品窓から外方に突出するから，商品の外形を表がわから確認することができる。枠体の商品窓は，包装される商品の外形および大きさに応じた形状および大きさとすればよい。
【００１５】
一実施態様では，上記枠体の両側のそれぞれに互いに反対方向に延びる折り片がつながっており，上記フィルムの一端部および他端部が上記２つの折り片のそれぞれに接着されており，上記フィルムの一端部および他端部の少なくともいずれ一方が上記折り片に上記間隔をあけて接着されている。上記間隔は上記フィルムの一端部がわのみに設けてもよいし，一端部と他端部の両方に設けてもよい。
【００１６】
他の実施態様では上記支持体が上記折り片であり，上記フィルムの一端部が上記支持体に上記間隔をあけて接着され，他端部が上記枠体の他側がわの枠部に接着される。支持体（折り片）を折ることによって，上述したように商品窓から突出する商品を覆う余裕が上記フィルムに生じる。
【００１７】
さらに他の実施態様では上記支持体が上記折り片を兼ねており，上記枠体の一側に第１の折り線を介して上記支持体が，上記枠体の上記一側と反対がわの他側に第２の折り線を介して上記折り片が，それぞれ互いに反対方向につながっており，上記フィルムの一端部が上記支持体に，他端部が上記折り片にそれぞれ接着されており，上記フィルムの一端部および他端部の少なくともいずれか一方が，上記第１の折り線および第２の折り線の少なくともいずれか一方と上記間隔をあけて接着されている。
【００１８】
上記フィルムの上端部および下端部を，上記枠体の上記商品窓の上がわの枠部および下がわの枠部にそれぞれ接着してもよい。商品窓から突出する商品のほぼ全周囲において商品を覆うフィルムに張りが生じるので，包装された商品を美しく見せることができる。さらに，上記枠体の上端および下端（いずれか一方でもよい）に折り片を連設し，上記フィルムの上端部および下端部を，上記枠体の上端および下端に連設された折り片上に，上記枠体と折り片との間に間隔をあけて，接着してもよい。左右方向および上下方向の両方において，商品窓から突出する商品を覆う余裕が上記フィルムにつくられる。
【００１９】
好ましくは枠体，折り片および支持体が１枚の厚紙からつくられている。厚紙とは，植物性繊維を材料とするもののみならず，合成繊維を材料の一部または全部とするもの，表面または両面に合成樹脂膜をコーティングしたもの等，合成樹脂による厚紙のシート等を含む。
【００２０】
上記フィルムは上記枠体の内がわ面に上記枠体と平行に貼られるので自動窓貼り機による接着に適している。
【図面の簡単な説明】
【００２１】
【図１】第１実施例の包装体の斜視図である。
【図２】図１のII−II線に沿う断面図である。
【図３】包装体を構成する部材の分解斜視図である。
【図４】フィルムが接着された展開状態の正面枠および折り片を内側から見たものである。
【図５】図４のV-V線に沿う断面図である。
【図６】包装体を商品を省略して示す断面図である。
【図７】第１変形例の包装体を示すもので，フィルムが接着された展開状態の正面枠を示す断面図である。
【図８】第１変形例の包装体を示すもので，商品を省略して示す断面図である。
【図９】第２変形例の包装体を示すもので，フィルムが接着された展開状態の正面枠を示す断面図である。
【図１０】第２変形例の包装体を示すもので，商品を省略して示す断面図である。
【図１１】第３変形例の包装体を示すもので，商品を省略して示す断面図である。
【図１２】第４変形例の包装体を示すもので，商品を省略して示す断面図である。
【図１３】第５変形例の包装体を示すもので，商品を省略して示す断面図である。
【図１４】第２実施例の包装体の分解斜視図である。
【図１５】第３実施例の包装体の展開図である。
【図１６】第３実施例の包装体の組み立ての様子を示す斜視図である。
【図１７】第４実施例の包装体の展開図である。
【図１８】第４実施例の包装体の組み立ての様子を示す斜視図である。
【図１９】第４実施例の変形例の包装体の展開図である。
【図２０】第５実施例の包装体の展開図である。
【図２１】第５実施例の包装体の組み立ての様子を示す斜視図である。
【図２２】第６実施例の包装体の展開図である。
【図２３】第６実施例の包装体の組み立ての様子を示す斜視図である。
【実施例】
【００２２】
図１は第１実施例のディスプレイ用の包装体１を，商品７を包装している状態で示す斜視図である。図２は図１のII−II線に沿う断面図である。図３は包装体１を構成する複数の部材を，商品７を含めて示す分解斜視図である。図３において，後述する折り片３，４が展開状態（折られていない状態）で示されている。
【００２３】
包装体１は，矩形の正面枠２と，矩形の背面パネル（台紙）５と，これらの正面枠２および背面パネル５の間に位置する矩形のフィルム６を備える。正面枠２の両側に互いに反対方向に延びる折り片３，４がそれぞれつながっている。正面枠２，折り片３，４および背面パネル５は典型的には厚紙によりつくられる。ボール紙，プラスチック・シート，これらの複合材を用いてもよい。フィルム６は透明または半透明の薄いプラスチック製のフィルムである。伸びを生じる塑性を有するフィルムを使用するのが好ましいが伸びを生じないフィルムを用いてもよい。また，弾性を有するフィルムを使用してもよい。フィルム６の素材には，ポリ塩化ビニル，ポリプロピレン，ポリスチレン，ポリオレフィン，ポリエチレンテレフタレートなどを用いることができる。
【００２４】
正面枠２のほぼ中央に矩形の商品窓２Ａが形成されている。商品窓２Ａの上方の枠部には円形のフック孔２Ｂがあけられている。商品窓２Ａは包装体１によって包装される商品７の正面がわの形状に応じた好ましくは合致した形状を持ち，その大きさも商品７の大きさに応じたもの，好ましくは合致したものまたはやや大きいものとされる。いずれにしても商品窓２Ａは商品７がその正面がわから通る形状および大きさを持つ。
【００２５】
上述のように，正面枠２の両側に互いに反対方向に延びる折り片３，４がつながっている。正面枠２と折り片３，４と間の折り線をＬ１，Ｌ２でそれぞれ示す。詳細は後述するが，フィルム６は正面枠２および折り片３，４に設けられる糊部Ｎによって，正面枠２の内側となる面に接着される。その後に折り片３，４は折り線Ｌ１，Ｌ２の位置で正面枠２の内がわに折返される。
【００２６】
背面パネル５の内側となる面の両側部に糊部ｎがそれぞれ線状に設けられている。後述するように，この糊部ｎによって正面枠２につながる折られた状態の折り片３，４と背面パネル５とが接着される。また，背面パネル５の上部にも円形のフック孔５Ａがあけられている。
【００２７】
商品７を商品窓２Ａに対応する位置に位置決めし，フィルム６と背面パネル５とで商品７を前後（表裏）から挟む。折返された折り片３，４と背面パネル５とを糊部ｎによって接着する。背面パネル５は裏がわ（背面がわ）にわずかに湾曲し（図２参照），商品７の後面（背面）が背面パネル５によって支えられる。また，背面パネル５によって折り片３，４の折返しの状態が維持される。他方，表がわ（正面がわ）では正面枠２を越えて商品７が商品窓２Ａから外方に突出する。フィルム６は商品７によって商品窓２Ａから突出する向きに押されて商品７に密着する。フィルム６が伸びを生じるものであれば，商品７によって押されることでフィルム６に伸びが生じる。フィルム６は透明ないし半透明であるから，フィルム６を通して商品７に印字された文字および図形，商品７の色などが確認される。またフィルム６に覆われた商品７が商品窓２Ａから突出するので，商品７の外形も表がわから確認される。また，正面枠２にあけられたフック孔２Ｂと背面パネル５にあけられたフック孔５Ａは重なり合う（図１参照）。包装体１によって包装された商品７はこれらのフック孔２Ｂ，５Ａを用いてフックに掛けられて，店舗等において陳列される。
【００２８】
図４はフィルム６の接着位置を示すもので，正面枠２および折り片３，４の内側となる面を見たものである。図５は図４のＶ−Ｖ線に沿う断面図である。図６は正面枠２の両側の折り片３，４をそれぞれ内がわに折返し，かつ背面パネル５を接着した状態の断面図である。この発明の特徴を分かりやすくするために，図６の断面図において商品７は示されていないが，上述したように，実際にはフィルム６と背面パネル５との間には商品７が位置する（図１，図２参照）。
【００２９】
上述したように，正面枠２およびその両側の折り片３，４には糊部Ｎが設けられている。図４を参照して，この実施例では，糊部Ｎは，折り片３，４のそれぞれと，正面枠２の商品窓２Ａの上方および下方の枠部のそれぞれとに線状に設けられている。
【００３０】
フィルム６は正面枠２の内がわにおいて商品窓２Ａを覆うのみならず，折り線Ｌ１，Ｌ２を越えて折り片３，４上にも延在する広がりを持つ。フィルム６の貼付け（糊付け）は自動窓貼り機を用いることで行われる。正面枠２と折り片３，４とが面一状態（展開状態）で自動窓貼り機に与えられ，内側となる面に上述の糊部Ｎが線状に塗布される。正面枠２の内がわ面と平行にされたフィルム６が，商品窓２Ａを覆うようにして正面枠２の内側となる面に被せられ，糊部Ｎの位置が押されることでフィルム６が密着する。フィルム６の上下左右の余剰部分が切断されることでフィルム６の貼付けが完了する。
【００３１】
図４を参照して，折り片３上の糊部Ｎは，正面枠２と折り片３との間の折り線Ｌ１からａだけ間隔をあけて設けられている。折り片４上に設けられる糊部Ｎも同様であり，正面枠２と折り片４との間の折り線Ｌ２と糊部Ｎの端との間には間隔ａがあいている。図５および図６を参照して，折り片３，４が折り線Ｌ１，Ｌ２の位置でそれぞれ内がわに折返されると，この間隔ａの存在によってフィルム６の両がわの糊部Ｎ（接着位置）がいずれも商品窓２Ａに近づき，これにより商品窓２Ａから突出する商品７を覆う余裕がフィルム６につくられる。包装される商品７の厚みが比較的厚いものであったとしても，余裕がつくられたフィルム６によって商品窓２Ａから突出する商品部分を充分に覆うことができる。
【００３２】
糊部Ｎと折り線Ｌ１，Ｌ２との間の間隔ａが広いほど，折り片３，４が折返されたときにフィルム６に生じる余裕は大きくなる。包装される商品の厚みに応じて上記間隔ａは適宜調整すればよい。
【００３３】
図７および図８は第１変形例の包装体を示すもので，図５および図６に対応する断面図である。
【００３４】
第１変形例では，正面枠２の両側の折り片３，４が，折り線Ｌ１，Ｌ２においてそれぞれほぼ直角に内がわに折られる。背面パネル５の両側からは側壁（折り片）５ａ，５ｂが立ち上がっている。直角に折られた折り片３，４の外がわの面と，背面パネル５の両側壁５ａ，５ｂの内がわの面とが糊部ｎによって接着される。第１変形例においても，糊部Ｎと折り線Ｌ１，Ｌ２との間に間隔ａがあるので，折り片３，４が折られるとフィルム６の両がわの糊部Ｎ（接着位置）が互いに近づき，商品窓２Ａから突出する商品を覆う余裕がフィルム６につくられる。
【００３５】
図９および図１０は第２変形例の包装体を示すもので，図５および図６に対応する断面図である。
【００３６】
第２変形例では，正面枠２の左側に２つの折り線Ｌ11，Ｌ12が間隔をあけて設けられ，右側にも２つの折り線Ｌ21，Ｌ22が間隔をあけて設けられている。正面枠２の左側において折り線Ｌ11に沿って第１折り片３ａがほぼ直角に内がわに折られ，さらに折り線Ｌ12に沿って第２折り片３ｂがさらにほぼ直角に内がわに折られる。正面枠２の右側においても同様であり，折り線Ｌ21に沿って第１折り片４ａがほぼ直角に内がわに折られ，さらに折り線Ｌ22に沿って第２折り片４ｂがさらにほぼ直角に内がわに折られる。第２折り片３ｂ，４ｂの外がわの面と，背面パネル５の両側部の内側の面とが糊部ｎによって接着される。第２変形例においても，糊部Ｎと折り線Ｌ12，Ｌ22との間に間隔ａがあるので，折り片３ａ，３ｂ，４ａ，４ｂが折られるとフィルム６の両がわの糊部Ｎ（接着位置）が互いに近づき，商品窓２Ａから突出する商品を覆う余裕がフィルム６につくられる。
【００３７】
図１１，図１２および図１３も包装体の変形例を示す断面図である。
【００３８】
図１１に示す包装体は，折り片３，４が背面パネル５を挟むようにして折返されている点が第１実施例の包装体１（図２参照）と異なる。折返された折り片３，４は，背面パネル５の外がわとなる面に糊部ｎによって接着される。
【００３９】
図１２に示す包装体は，正面枠２の一端（左がわ）のみに折り片３がつながっており，正面枠２の他端（右がわ）には折り片が設けられていないものである。左がわの折り片３が折返されることで，フィルム６の左がわの糊部Ｎ（接着位置）が商品窓２Ａに近づき，これにより商品窓２Ａから突出する商品を覆う余裕がフィルム６につくられる。正面枠２の他端（右）がわでは，正面枠２の内がわの面と背面パネル５の内がわの面とが糊部ｎによって接着される。
【００４０】
上述した第１実施例および変形例は適宜組合わせてもよい。図１３に示す包装体は，第１実施例（図２）と第２変形例（図１０）とを組合わせたものを示している。
【００４１】
図１４は第２実施例の包装体１Ａの分解斜視図である。
【００４２】
第２実施例の包装体１Ａは，背面パネル５を持たない点が第１実施例の包装体１（図１）と異なる。背面パネル５に代えて，第２実施例の包装体１Ａは筒状カバー10を備える。その他の構成部材は第１実施例と同様であるので，第１実施例の包装体１と同一部材には同一符号を付し，重複説明を避ける。
【００４３】
筒状カバー10は正面部11，背面部12および糊代13を備える。正面部11，背面部12および糊代13は１枚の厚紙からつくられており，正面部11と背面部12の境界を折り，正面部11につながる糊代13を折って背面部12に接着することで，上下が開口した筒状カバー10がつくられる。正面部11の中央に矩形の窓11Ａがあけられており，この窓11Ａの大きさは商品７の正面がわの大きさよりも大きい。正面枠２およびフィルム６によって覆われた商品７が上記筒状カバー10によって覆われると，筒状カバー10の正面部11にあけられた窓11Ａからフィルム６によって覆われた商品７が外方に突出する。商品７の後面（背面）は筒状カバー10の背面部12によって支えられる。商品カバー10の正面部11にあけられた窓11Ａのデザインと，正面枠２に形成された商品窓２Ａのデザインとは異ならせてもよい。正面に２つの窓を持つ，デザイン性に富む包装体１Ａが得られる。
【００４４】
第２実施例の包装体１Ａは，好ましくはラップラウンド方式によって組立てられる。ラップラウンド方式では展開状態の筒状カバー10が用意され，その背面部12上に商品７が載置される。商品７の上からフィルム６が接着された正面枠２が載置される。このとき，正面枠２に形成された商品窓２Ａと商品７との位置合わせが行われる。筒状カバー10の正面部11が折返され，さらに糊代13が折られて背面部12の内側の面に接着される。このように筒状カバー10によって正面枠２を包込むようにすることで，包装体１Ａが完成する。
【００４５】
図１５から図２３は上述した正面枠２，折り片３，４，および背面パネル５が一枚の厚紙によりつくられている包装体を示している。
【００４６】
図１５および図１６は第３実施例の包装体１Ｂを示すもので，図１５は包装体１Ｂの展開図であり，内側となる面をみたものである。図１６は組立て途中の包装体１Ｂの斜視図である。図１５および図１６においても商品の図示は省略されている。また図１５の展開図において示す糊部Ｎ，ｎは，図１６の組立て斜視図において省略されている。このことは後述する他の実施例も同様である。
【００４７】
矩形の正面枠２の両側に折り片３，４が互いに反対方向に折り線Ｌ１，Ｌ２を介してそれぞれつながっている。さらに正面枠２の上端には折り線Ｌ３を介して上部折り片８が，下端には折り線Ｌ４を介して背面パネル５がそれぞれつながっている。正面枠２のほぼ中央に矩形の商品窓２Ａが位置している。
【００４８】
第１実施例と同様に，折り片３，４上に折り線Ｌ１，Ｌ２から間隔をあけて糊部Ｎがそれぞれ設けられている。正面枠２の商品窓２Ａの上方および下方のそれぞれの枠部にも糊部Ｎが設けられている。これらの糊部Ｎによって平面状のフィルム６が正面枠２の内がわに貼り付けられる。
【００４９】
折り線Ｌ１，Ｌ２と糊部Ｎとの間にそれぞれ間隔があいているので，折り片３，４を折り線Ｌ１，Ｌ２に沿って内がわに折返すと，上述したようにフィルム６には商品窓２Ａから突出する商品を覆う余裕がつくられる。次に背面パネル５を折り線Ｌ４に沿って内がわに折り返し，背面パネル５の両側部に設けられた糊部ｎによって折り片３，４と接着する。フィルム６によって覆われた商品が正面枠２の商品窓２Ａから外方に突出する。最後に上部折り片８を折返して正面枠２と折り片３，４との間の隙間に差込む，または背面パネル５の外がわの面に接着する（テープでとめてもよい）ことで，包装体１Ｂによる商品包装が完成する。
【００５０】
折返された折り片３，４に背面パネル５を糊部ｎによって接着して封筒状とし，上部開口から商品を充填し，最後に上部折り片８で上部開口を閉鎖するようにしてもよい。封筒状とした（上部開口があいている）包装体を作り貯めしておくと，商品の充填作業を分業することができる。もちろん，商品窓２Ａの位置に商品を配置しておき，その後に包装体１Ｂの組み立て（折り片３，４の折返し，背面パネル５の接着など）を行ってもよい。
【００５１】
図１７および図１８は第４実施例の包装体１Ｃを示すもので，図１７は包装体１Ｃの展開図であり，内側となる面をみたものである。図１８は組立て途中の包装体１Ｃの斜視図である。
【００５２】
第４実施例の包装体１Ｃは，背面パネル５に糊部が設けられていない点が上述した第３実施例の包装体１Ｂと異なる。糊部を用いることなく包装体１Ｃを組み立てるために，背面パネル５の両側のそれぞれに反対方向にのびる折り片５ａ，５ｂがつながっている。
【００５３】
背面パネル５の両側の折り片５ａ，５ｂを折り線Ｌ５，Ｌ６に沿って内がわに折返し，その後に背面パネル５を折り線Ｌ４に沿って内がわに折返す。正面枠２の上端につながる上部折り片（差し込み片）８を内がわに折返しつつ，折り片５ａ，５ｂと背面パネル５との間の隙間に差し込んで係合する。正面枠２と背面パネル８とが簡易に固定される。
【００５４】
図１９は第４実施例の変形例の包袋体１Ｄの展開図を示している。フィルム６の下部が正面枠２と背面パネル５の間の折り線Ｌ４を越えて背面パネル５上にまで伸びている点，フィルム６の下端部が糊部Ｎによって背面パネル５の内がわに貼り付けられており，この背面パネル５上の糊部Ｎの端（上端）と折り線Ｌ４との間にも間隔があいている点，および正面枠２と背面パネル５の間の切欠き（Ｖカット）が大きい点が，第４実施例の包装体１Ｃ（図１７）と異なる。
【００５５】
背面パネル５を折り線Ｌ４に沿って内がわに折り返すと，フィルム６の下端がわ（上下方向）にも商品窓２Ａから突出する商品を覆う余裕が生じ，厚みのある商品を入れやすくなる。もちろん，フィルム６の上端がわについても上部折り片８上に延在する広がりを持たせ，折り線Ｌ３と間隔をあけて上部折り片８上に糊部Ｎによって接着してもよい。
【００５６】
背面パネル５を折り線Ｌ４に沿って内がわに折り返すと，折り線Ｌ４の左右端部ではフィルム６と，折り片３，４と，折り片５ａ，５ｂとが重なり合う。商品窓２Ａから外方に突出する商品を覆うようにフィルム６が移動するときにこの重なりの箇所においてフィルム６が動きづらくなるのを避けるために，上述したように，正面枠２と背面パネル５との間の切欠きが大きく形成されている。
【００５７】
図２０および図２１は第５実施例の包装体１Ｅを示すもので，図２０は包装体１Ｅの展開図であり，内側となる面をみたものである。図２１は組立て途中の包装体１Ｅの斜視図である。
【００５８】
包装体１Ｅは，背面パネル５が上述した折り片３として用いられるものである。正面枠２の右側に背面パネル５が折り線Ｌを介してつながっている。フィルム６の右側の端部が背面パネル５上に糊部Ｎによって接着され，フィルム６の左側端部，上端部および下端部はいずれも正面枠２の枠部に糊部Ｎによって接着されている。正面枠２と背面パネル５との境界の折り線Ｌと背面パネル５上の糊部Ｎの端との間に間隔があいている。折り線Ｌに沿って背面パネル５を内がわに折返すと，フィルム６に商品窓２Ａから突出する商品を覆う余裕がつくられる。正面枠２の上端部，左端部および下端部に設けられた糊部ｎによって，折返された背面パネル５が正面枠２に接着される。包装体１Ｅは背面パネル５が折り片を兼ねており折り箇所が少なく，自動包装機による商品包装に適している。
【００５９】
図２２および図２３は第６実施例の包装体１Ｆを示すもので，図２２は包装体１Ｆの展開図であり，内側となる面を見たものである。図２３は包装体１Ｆの組み立て途中の斜視図である。
【００６０】
正面枠２の左側に折り線Ｌ１を介して折り片３がつながっており，右側には折り線Ｌ２を介して背面パネル５がつながっている。正面枠２の上端および下端のそれぞれには折り線Ｌ３，Ｌ４を介して上部折り片８および下部折り片９がそれぞれつながっている。
【００６１】
折り片３上に折り線Ｌ１から間隔をあけて糊部Ｎが設けられ，背面パネル５上にも折り線Ｌ２から間隔をあけて糊部Ｎが設けられている。正面枠２の商品窓２Ａの上方および下方の枠部のそれぞれにも糊部Ｎが設けられている。これらの糊部Ｎによって平面状のフィルム６が正面枠２の内がわに接着される。
【００６２】
折り片３と背面パネル５とを折り線Ｌ１，Ｌ２に沿ってそれぞれ内がわに折り返す。背面パネル５の右側端部に設けられた糊部ｎによって背面パネル５を折り片３の外がわの面に接着する。最後に上部折り片８および下部折り片９を折り返して背面パネル５の外がわの面に接着する（テープでとめてもよい）ことで，包装体１Ｆによる商品包装が完成する。この包装体１Ｆは自動包装機による高速生産に適している。
【符号の説明】
【００６３】
１，１Ａ，１Ｂ，１Ｃ，１Ｄ，１Ｅ，１Ｆ  包装体
２  正面枠（枠体）
２Ａ  商品窓
３，４  折り片
５  背面パネル（支持体）
６  フィルム
７  商品
10  筒状カバー（支持体）
Ｌ，Ｌ１，Ｌ２，Ｌ３，Ｌ４，Ｌ11，Ｌ12，Ｌ21，Ｌ22  折り線
【図１】
0005994247.tif 000002
【図２】
0005994247.tif 000003
【図３】
0005994247.tif 000004
【図４】
0005994247.tif 000005
【図５】
0005994247.tif 000006
【図６】
0005994247.tif 000007
【図７】
0005994247.tif 000008
【図８】
0005994247.tif 000009
【図９】
0005994247.tif 000010
【図１０】
0005994247.tif 000011
【図１１】
0005994247.tif 000012
【図１２】
0005994247.tif 000013
【図１３】
0005994247.tif 000014
【図１４】
0005994247.tif 000015
【図１５】
0005994247.tif 000016
【図１６】
0005994247.tif 000017
【図１７】
0005994247.tif 000018
【図１８】
0005994247.tif 000019
【図１９】
0005994247.tif 000020
【図２０】
0005994247.tif 000021
【図２１】
0005994247.tif 000022
【図２２】
0005994247.tif 000023
【図２３】
0005994247.tif 000024